(57)【要約】【課題】額縁相互を折曲自在に、且つ、額縁のサイズに関係なく連結できるようにして、装飾の自由度を高めた額縁の連結構造を提供する。【解決手段】額縁の枠体裏面において、該枠体の外周に沿って一辺若しくは全周にわたって凹溝を設けるという手段を採用した。一方、かかる構成の額縁を連結する連結具として、基板に所定の間隔を置いて平行に２本のヒンジ部を設けると共に、該基板の両端に上記枠体に設けた凹溝に密に嵌入する突条部を設けるという手段を採用し、さらに、この連結具の基板の側面端部に透孔を有する吊下用突起を設けた。そして、上記構成の各額縁と各連結具とを組み合わせ、順次連結して額縁の連結構造を構成した。【選択図】  図１
2004187696.tif 000002
【特許請求の範囲】
【請求項１】
額縁の枠体の裏面に、枠体の少なくとも外周の一辺に沿って凹溝を設けたことを特徴とする額縁。
【請求項２】
枠体の外周に沿って全周にわたって凹溝を設けた請求項１記載の額縁。
【請求項３】
基板に所定の間隔を置いて平行に２本のヒンジ部を設けると共に、該基板の両端に上記枠体に設けた凹溝に密に嵌入する突条部を設けたことを特徴とする連結具。
【請求項４】
基板の側面端部に透孔を有する吊下用突起を設けた請求項３記載の連結具。
【請求項５】
請求項１記載の額縁と請求項３記載の連結具とを順次連結したことを特徴とする額縁の連結構造。
【請求項６】
請求項１記載の額縁と請求項４記載の連結具とを順次連結したことを特徴とする額縁の連結構造。
【請求項７】
請求項２記載の額縁と請求項３記載の連結具とを順次連結したことを特徴とする額縁の連結構造。
【請求項８】
請求項２記載の額縁と請求項４記載の連結具とを順次連結したことを特徴とする額縁の連結構造。
【発明の詳細な説明】
【０００１】
【発明の属する技術分野】
この発明は、写真や書画等を装飾、掲示するための額縁と、これらの額縁を互いに種々の組み合わせ態様で連結して装飾に供する連結具とからなる額縁の連結構造に関するものである。
【０００２】
【従来の技術】
額縁を相互に連結して、立てたり吊り下げたりするものとしては、従来から、箱形状に枠組みした側壁枠板を互いに重合して複数のクリップで弾性挟持するようにしたものが提案されている（例えば、特許文献１参照。）。また、フレームの各辺に切欠部を介して連結棒を備えると共に、この連結棒と係合する溝部を有する着脱自在な連結具とからなる連結具付き額縁も知られている。（例えば、特許文献２参照。）。さらに、額縁の裏板の周辺中央に隣接して長孔を４カ所設け、中央に薄肉ヒンジ部を有する連結具本体の左右対称位置に上記長孔に嵌合する２対の突出部を設けてなる連結具を持つ額縁構造も提案されている（例えば、特許文献３参照。）。
【０００３】
【特許文献１】
実開昭５１−３００９６号公報
【特許文献２】
実開昭５７−３４８６０号公報
【特許文献３】
実公昭６４−６１５０号公報
【０００４】
【発明が解決しようとする課題】
しかしながら、例えば特許文献１のように側壁枠板をクリップで弾性挟持するようにしたものは、額縁を上下左右方向に連結するだけで、特許文献２に示されたように、隣り合う額縁をくの字状に折り畳んで装飾効果を高めることができなかった。
【０００５】
また、特許文献２のようにフレームの各辺に連結棒を備えると共に、この連結棒に溝部を有する連結具を着脱自在に係合させるようにした額縁は、額縁相互の連結については装飾性が高まっているが、フレームの各辺に切欠部と連結棒を設ける必要があるため、構造が複雑となり、製造等のコストが高くなる。また、連結具が額縁の前面に位置することになるため、外観的に見栄えが悪くなるという問題がある。
【０００６】
一方、これらの問題に対応してなされた特許文献３に開示されたような額縁構造は、その連結具が、中央の薄肉ヒンジ部を挟んで左右に長孔に嵌合する２対の突出部を設けてなる構成であるので、額縁を連結した場合、手前側に山折りで９０度まで折曲することが限界で、額縁フレームが互いに干渉して、手前側に谷折りに折曲することができないものであった。従って、額縁は連結できるものの、同公報第５図に示されているように、縦または横方向に平面的に連結するか、四角筒状に連結することしかできず、屏風のようにジグザグ状に折り畳むことが不可能であり、装飾として、組み合わせの自由度が極めて低いものであった。
【０００７】
また、額縁連結用の長孔が所定の位置に固定的に設けたものであったので、額縁のサイズが１種類になり、選択の余地がなかった。このことは、額縁に入れて掲示したいものには種々のサイズがあるので、掲示物の選択の幅を狭めることになり、やはり、装飾の自由度に欠けるものとなっていた。
【０００８】
本発明は、このような従来の課題に鑑み、額縁相互を折曲自在に連結可能とし、さらに、額縁のサイズに関係なく連結できるようにして、装飾の自由度を高めた額縁の連結構造を提供することを目的としたものである。
【０００９】
【課題を解決するための手段】
上記目的を達成するため、本発明は、額縁の枠体裏面において、該枠体の少なくとも外周の一辺に沿って凹溝を設けるという手段を採用した。または、枠体の外周に沿って全周にわたって凹溝を設けるという手段を採用した。
【００１０】
一方、かかる構成の額縁を連結する連結具として、基板に所定の間隔を置いて平行に２本のヒンジ部を設けると共に、該基板の両端に上記枠体に設けた凹溝に密に嵌入する突条部を設けるという手段を採用した。さらに、この連結具の基板の側面端部に透孔を有する吊下用突起を設けるという手段も採用した。
【００１１】
そして、上記構成の各額縁と各連結具とを組み合わせ、順次連結して額縁の連結構造を構成した。
【００１２】
上記構成にかかる額縁の連結構造は、枠体に設けた凹溝の任意の位置に連結具を設置できるものである。そして、ヒンジ部が２本ある連結具で連結することにより、隣接する額縁の枠体同士が干渉することなく、谷折りまたは山折り状に額縁を設置でき、装飾の自由度を向上させるものである。
【００１３】
また、凹溝の任意の位置に連結具を嵌入、設置できるので、大きさの異なる額縁を連結することができる。
【００１４】
さらに、連結具の端部に吊下用突起を設けているので、連結した額縁を吊下して掲示することも可能である。
【００１５】
【発明の実施の形態】
以下、本発明にかかる額縁の連結構造の好ましい実施形態を、図面に従って説明する。図１は、本発明の一実施形態の斜視図であり、（Ａ）は正面から見た図、（Ｂ）は背面から見た図である。図において、１が額縁、２が連結具である。
【００１６】
図１において、額縁１は、例えば木製の台形状枠材を矩形に組み合わせてフレーム状とした枠体３に裏面からガラス４を嵌め込み、そこに写真（Ｐ）を挟持して裏板５を嵌め、枠体３に取り付けた複数の止め具６で裏板５を固定するようにしたものである。かかる構成の額縁は従来から公知の構成であるが、本願においては、この枠体３の外周に沿って内側に、全周にわたって連続する凹溝７を設けている。なお、額縁１の構成素材は特に限定するものではなく、例えば枠体３は凹溝７を含めて合成樹脂で一体に成型したものであっても良い。また、凹溝は、必要に応じて、少なくとも外周の一辺に設けても良い。
【００１７】
次に、連結具２の具体的構成は、図２に示す態様であり、合成樹脂で一体に成型する。即ち、図２において、９、９は基板８に所定の間隔をおいて平行に設けたヒンジ部であり、該ヒンジ部９、９では、表裏をＶ字状に切欠１０して、表裏両側に自由に折曲できるようにしている。なお、両ヒンジ部９、９の間隔は、少なくとも上記額縁の枠体３の厚味と同等以上とすることが好ましい。これは下述するように、連結した隣同士の額縁の枠体３が互いに干渉しないようにするためである。また、１１、１１は基板８の両端に設けた突条部で、前記額縁１の枠体３に設けた凹溝７に密に嵌入する幅を有している。さらに１２、１２は基板８の端部面に設けた吊下用突起であり、それぞれに透孔１３を設けている。
【００１８】
次に、図３は隣接する額縁１の枠体３に設けた凹溝７に上記連結具２の突条部１１を嵌着して額縁同士を連結した状態を示す断面図である。基板８に平行して２本のヒンジ部９を設けているので、同図（Ｂ）に示すように、枠体同士が干渉することなく谷折りが可能であり、勿論、同図（Ｃ）に示すように山折りも可能である。実質的には、前側（谷折り）に約９０度、後側（山折り）に約１８０度、折り曲げることができる。
【００１９】
図４は上述した額縁の連結構造の使用の一例を示すもので、大きさおよび方向（縦長か横長か）の異なる複数の額縁を縦方向に連結し、吊下用突起１２を利用して壁面に設置した状態を示すものである。図１からも明らかなように、凹溝７は枠体の外周に沿って全周にわたって連続して設けているので、凹溝７の任意の位置に連結具２を設置することが可能であり、隣接する額縁１の枠体３の長さが異なる場合であっても、自由に連結具２を嵌着して互いに連結することが可能となっている。従って、図示した態様の他、大きさおよび方向の異なる額縁を、横方向に連結することも、また、縦横方向に平面的に展開して連結することも可能である。さらに、図１のように机上に飾る場合は、谷折り、山折りが可能であるので、屏風状にジグザグに連結・折曲して設置することもできる。
【００２０】
【発明の効果】
以上述べたように、本発明にかかる額縁の連結構造は、額縁裏面に連続した凹溝を設け、２本のヒンジ部を有する連結具で連結するようにしたものであるから、表側、裏側の双方に折り曲げ可能となり、机上での装飾の自由度を高めることができるようになった。
【００２１】
また、額縁の枠体裏面の少なくとも一辺、もしくは全周にわたって凹溝を設けているので、額縁の大きさに関係なく連結することができ、額縁の大きさを自由に選択して掲示できる。
【００２２】
さらに、連結具に吊下用突起を設けているので、連結した額縁を壁面に掲示することも可能である。
【図面の簡単な説明】
【図１】（Ａ）は本発明にかかる額縁の連結構造の一例を正面から見た斜視図、（Ｂ）は背面からみた斜視図である。
【図２】連結具の一例を示す斜視図である。
【図３】額縁相互の連結状態を説明する断面図である。
【図４】複数の額縁を連結した使用例を示す正面図である。
【符号の説明】
１    額縁
２    連結具
３    枠体
７    凹溝
８    基板
９    ヒンジ部
１１    突条部
１２    吊下用突起
１３    透孔
【図１】
2004187696.tif 000003
【図２】
2004187696.tif 000004
【図３】
2004187696.tif 000005
【図４】
2004187696.tif 000006